(57)【要約】    【課題】可動体を含む一体役物としての一体性を容易に確保でき、しかも可動体の装飾部の損傷による見栄えの低下を防止できるようにする。    【解決手段】当接部５７同士が当接可能な複数の可動体４５を有する可動演出手段３０を備えている。可動体４５は直線運動又は旋回運動可能であり、当接部５７の他に、金属メッキ等が施された装飾部５１と、当接部５７の当接時の前後方向の位置ズレを防止する位置決め手段５０とを備えている。当接部５７は可動体４５の装飾部５１以外の部分に設けられている。【選択図】図１１
2015223485.tif 000002
【特許請求の範囲】
【請求項１】
当接部が相手側に当接可能な可動体を含む可動演出手段を備えた遊技機において、
前記当接部を前記可動体の装飾部以外の部分に備えた
ことを特徴とする遊技機。
【請求項２】
前記可動演出手段は前記当接部同士が当接可能な複数の前記可動体を備えた
ことを特徴とする請求項１に記載の遊技機。
【請求項３】
前記可動体は直線運動又は旋回運動可能である
ことを特徴とする請求項１又は２に記載の遊技機。
【請求項４】
前記可動体は前記装飾部の後側に前記当接部を備えた
ことを特徴とする請求項１〜３の何れかに記載の遊技機。
【請求項５】
前記当接部は非直線状である
ことを特徴とする請求項１〜４の何れかに記載の遊技機。
【請求項６】
前記可動体の前後方向に位置決めする位置決め手段を備えた
ことを特徴とする請求項１〜５の何れかに記載の遊技機。
【発明の詳細な説明】
【技術分野】
【０００１】
本発明は、パチンコ機、アレンジボール機、スロットマシン等の遊技機に関するものである。
【背景技術】
【０００２】
パチンコ機等の遊技機は、遊技盤の略中央に配置された液晶式等の画像表示手段と、この画像表示手段の前側で出退する可動演出手段とを備え、画像表示手段に表示される演出画像と可動演出手段の可動体の移動とを組み合わせて、特別遊技状態その他の遊技状態を演出する演出形態が採用される傾向にある。
【０００３】
この可動演出手段には、従来、左右一対の可動体を左右方向に直線的に出退移動可能に備えた直線移動式のもの（特許文献１）や、左右一対の可動体を前後方向の支軸廻りに出退回動可能に備えた回動式のもの（特許文献２）がある。
【０００４】
各可動体には合成樹脂製の本体部の表面に金メッキその他の二次加工を施した装飾部を有するものが使用されており、両者が画像表示手段の画像表示部から退避する第１位置から画像表示部の前側の第２位置へと移動したときに、その装飾部の対向端面同士が当接して、両可動体が合体して一つの合体役物として機能するようになっている。
【先行技術文献】
【特許文献】
【０００５】
【特許文献１】特開２００７−６１４８７号公報
【特許文献２】特開２０１３−１１１１８２号公報
【発明の概要】
【発明が解決しようとする課題】
【０００６】
従来の可動演出手段では、できるだけ両可動体の一体性を持たせる必要から、第２位置で両者の装飾部の対向端面同士を当接させているため、稼動期間が長期になれば、当接時の衝撃、摩擦等により装飾部の対向端面側のメッキが剥離する等の損傷が著しくなり、可動演出手段の見栄えが低下する問題がある。
【０００７】
そこで、両可動体が第２位置側に移動したときに、両者が所定の隙間を介して近接した状態で停止させることも考えられる。しかし、両可動体間の間隔を小さくすれば、各可動体の停止精度が要求される上に、可動体の動きが緩慢になる等の問題があり、また両可動体間の間隔を大にすれば、停止精度等の問題を容易に解消できるが、逆に両可動体による一体役物としての一体性に欠ける等の問題が生じることとなる。
【０００８】
本発明は、このような従来の問題点に鑑み、可動体を含む一体役物としての一体性を容易に確保でき、しかも可動体の装飾部の損傷による見栄えの低下を防止できる遊技機を提供することを目的とする。
【課題を解決するための手段】
【０００９】
本発明は、当接部が相手側に当接可能な可動体を含む可動演出手段を備えた遊技機において、前記当接部を前記可動体の装飾部以外の部分に備えたものである。
【００１０】
前記可動演出手段は前記当接部同士が当接可能な複数の前記可動体を備えたものでもよい。また前記可動体は直線運動又は旋回運動可能であってもよい。前記可動体は前記装飾部の後側に前記当接部を備えたものでもよい。
【００１１】
更に前記当接部は非直線状であってもよい。前記可動体の前後方向に位置決めする位置決め手段を備えたものでもよい。
【発明の効果】
【００１２】
本発明では、可動体を含む一体役物としての一体性を容易に確保でき、しかも可動体の装飾部の損傷による見栄えの低下を防止できる利点がある。
【図面の簡単な説明】
【００１３】
【図１】本発明の第１の実施形態を示すパチンコ機の正面図である。
【図２】同要部の縦断面図である。
【図３】同要部の横断面図である。
【図４】同可動演出手段の正面図である。
【図５】同可動演出手段の背面図である。
【図６】同可動演出手段の縦断面図である。
【図７】同図４のＸ矢示断面図である。
【図８】同図４のＹ矢示断面図である。
【図９】同図４のＺ矢示断面図である。
【図１０】（ａ）は位置決め手段の断面図、（ｂ）はその正面図である。
【図１１】同可動演出手段の分解斜視図である。
【図１２】本発明の第２の実施形態を示す可動演出手段の正面図である。
【図１３】同横断面図である。
【図１４】本発明の第３の実施形態を示す可動演出手段の正面図である。
【図１５】本発明の第４の実施形態を示す可動演出手段の一部破断正面図である。
【図１６】同横断面図である。
【発明を実施するための形態】
【００１４】
以下、本発明の各実施形態を図面に基づいて詳述する。
【００１５】
図１〜図１１は本発明をパチンコ機に採用した第１の実施形態を例示する。パチンコ機１は図１〜図３に示すように矩形状の外枠２と、この外枠２の前側に装着された前枠３とを備えている。前枠３は左右一端側が上下一対の前枠３用のヒンジ４により外枠２に縦軸廻りに開閉自在に枢支されている。
【００１６】
外枠２と前枠３とにより遊技機本体が構成されている。前枠３には上部側の遊技盤装着部（図示省略）に遊技盤５が着脱自在に装着され、その遊技盤５の前側にガラス扉６が、ガラス扉６の下側に前面扉７が夫々配置されている。
【００１７】
ガラス扉６、前面扉７はヒンジ４と略同一軸心を有するヒンジ８により前枠３に開閉自在に枢着されている。なお、ガラス扉６と前面扉７とを一体化して、一つの開閉扉を構成するようにしても良い。
【００１８】
ガラス扉６は遊技盤５の遊技領域１０に対応する窓孔１１を有する扉枠１２と、窓孔１１を塞ぐように扉枠１２の後側に着脱自在に装着されたガラス板ユニット１３とを備え、扉枠１２の上部に左右一対のスピーカ１４が設けられている。ガラス板ユニット１３は前後二枚のガラス板１５と、このガラス板１５を外周側で保持する保持部材（図示省略）とを備え、ガラス板１５を介して遊技領域１０を視認できるようになっている。
【００１９】
前面扉７の前側には、発射用の遊技球を貯留する球供給皿１７と、余剰球を貯留する球受け皿１８とが上下に配置され、その側方に遊技球を発射する発射手段（図示省略）の発射ハンドル１９が設けられている。球供給皿１７の前側にはチャンスボタン２０、回転発光手段２１が設けられている。発射ハンドル１９は発射手段の作動用であって、この発射ハンドル１９を操作したときに発射手段が作動して、球供給皿１７から球送り手段（図示省略）を経て供給される遊技球を１個ずつ遊技盤５側へと発射するようになっている。
【００２０】
遊技盤５の前面には略円形状の遊技領域１０があり、この遊技領域１０はガイドレール１６と前飾り部材とにより取り囲まれている。ガイドレール１６は発射手段から発射された遊技球を遊技領域１０の上部側へと案内するようになっている。
【００２１】
遊技領域１０には、図１に示すように、画像表示手段２２、普通図柄始動手段２３、特別図柄始動手段２４、可変入賞手段２５、普通入賞手段２６、普通図柄表示手段２８、特別図柄表示手段２９、可動演出手段３０等の各種の遊技部品が配置されている。
【００２２】
画像表示手段２２は遊技領域１０の左右方向の略中央の上部に配置され、また、特別図柄始動手段２４、可変入賞手段２５は画像表示手段２２の下側に上下に配置されている。普通図柄始動手段２３は画像表示手段２２とガイドレール１６との間に配置されている。特別図柄始動手段２４は非開閉式入賞口２４ａと開閉式入賞口２４ｂとを有する。普通入賞手段２６は可変入賞手段２５の左右両側に設けられている。
【００２３】
画像表示手段２２は、支持部材３２を介して遊技盤５に裏側から装着された液晶式等の画像表示部３３と、画像表示部３３に対応する表示窓３４を有し且つ遊技盤５に前側から装着された前飾り用の前構造体３５とを備え、前構造体３５の上部側の前面に普通図柄表示手段２８と特別図柄表示手段２９とが装着されている。画像表示部３３、前構造体３５は遊技盤５の開口５ａに対応して前後両側に配置されている。
【００２４】
前構造体３５の下部側には、遊技球の画像表示部３３側への進入を阻止する板状の進入阻止部材３６が左右方向に配置され、この進入阻止部材３６の前側に前構造体３５に装着された転動部３７が設けられている。進入阻止部材３６は透明板又は不透明板により構成されている。転動部３７は前構造体３５のワープ口３８から誘導通路３９を経て案内される遊技球を左右に転動させて、その案内部３７ａを経て遊技盤５の前側へと落下させるようになっている。
【００２５】
普通図柄表示手段２８は普通図柄を変動表示するためのもので、複数種類の普通図柄（例えば二種類の「○」「×」）に対応する複数個の発光素子により構成されており、普通図柄始動手段２３が遊技球を検出することを条件に２個の発光素子が交互に点灯するように所定時間点滅して、普通図柄始動手段２３の遊技球の検出時に抽選した乱数値が予め定められた特定遊技判定値と一致した場合に特定態様の「○」側の発光素子が点灯し、それ以外の場合に非特定態様の「×」側の発光素子が点灯して停止する。
【００２６】
特別図柄表示手段２９は発光部位の変化等で特別図柄を変動表示可能なセグメント式等により構成されており、特別図柄始動手段２４が遊技球を検出することを条件に、特別図柄が所定時間変動して、特別図柄始動手段２４の遊技球の検出時に抽選された乱数値が予め定められた特別遊技判定値と一致した場合に所定の特別遊技態様で、それ以外の場合に非特別遊技態様で停止するようになっている。
【００２７】
特別図柄始動手段２４の開閉式入賞口２４ｂは、普通図柄表示手段２８の変動後の停止図柄が特定態様となったときに所定時間（短時間）だけ開放するようになっている。可変入賞手段２５は可変入賞口２５ａを開閉する開閉板２５ｂを有し、特別図柄表示手段２９の変動後の特別図柄が特別遊技態様となって特別遊技状態が発生したときに開閉板２５ｂが前側に開放して、上方から落下する遊技球を入賞させるようになっている。
【００２８】
特別遊技状態中は開閉板２５ｂの開放から所定時間（例えば３０秒程度）が経過するか、その間に所定数（例えば１０個）の遊技球が入賞したときに開閉板２５ｂを閉じる動作を１ラウンドとし、この動作を所定回数（例えば１６ラウンド）継続するようになっている。
【００２９】
画像表示部３３は待機中にデモ画像を表示し、遊技中に特別図柄表示手段２９の特別図柄に対応する演出図柄を変動表示する等、必要に応じて適宜タイミングで各種の演出画像を随時表示して画像演出を行うためのものである。
【００３０】
即ち、特別図柄表示手段２９の特別図柄の変動に際しては、その特別図柄の変動に同期して１個又は複数個、例えば３個の演出図柄４１ａ〜４１ｃが画像表示部３３に変動表示される。この演出図柄４１ａ〜４１ｃは特別図柄始動手段２４の遊技球の検出を条件に、抽選により決定された所定の演出図柄変動パターンを経て所定時間変動した後、特別図柄の変動終了に同期して所定の順序（例えば左、右、中等の順序）で順次停止する。
【００３１】
演出図柄４１ａ〜４１ｃの変動後の停止図柄は、特別図柄が特別遊技態様で停止する場合には全てが揃う特別演出態様となり、特別図柄が非特別遊技態様で停止する場合には少なくとも一部が異なる非特別演出態様となる。
【００３２】
例えば、演出図柄４１ａ〜４１ｃには０〜９までの数字図柄が使用されており、特別図柄が特別遊技態様で停止する場合には演出図柄４１ａ〜４１ｃは「７・７・７」等の特別演出態様で停止し、特別図柄が非特別遊技態様で停止する場合には演出図柄４１ａ〜４１ｃは「２・３・４」等の非特別演出態様で停止する。
【００３３】
画像表示手段２２は変動後の特別図柄が特別遊技態様となる信頼度の高い演出パターン（例えば可動予告演出を含む演出パターン）を抽選したとき等、遊技者に対して期待感を抱かせる所定の遊技状態、例えば１個の演出図柄４１ｂを除く２個の演出図柄４１ａ，４１ｃが同じとなるリーチとなった場合に、画像表示部３３の所定箇所にチャンスボタン２０の操作を指示する操作指示画像４２を表示する。
【００３４】
そして、例えば特別図柄始動手段２４が遊技球を検出したときに特別遊技を抽選する等、変動後の特別図柄が特別遊技態様となった後に特別遊技状態が発生する信頼度が高い場合には、その操作指示画像４２に従って図柄変動中に適宜タイミングでチャンスボタン２０を操作すれば、チャンスボタン２０の明滅発光演出、可動演出手段３０の作動による可動演出、画像表示部３３の画像による画像演出等が同期して実行されることになり、変動後の特別図柄が特別遊技態様となって特別遊技状態が発生する信頼度が高いことを予告するようになっている。なお、画像表示部３３は可動演出手段３０の可動演出に同期して演出画像を表示する。
【００３５】
可動演出手段３０は、図４〜図１１に示すように、画像表示部３３の前下側で支持部材３２と進入阻止部材３６との間で左右方向の略中央に配置されており、画像表示部３３の下側で進入阻止部材３６の背後に退避する第１位置Ａと、画像表示部３３の前側に起立する第２位置Ｂとの間で前後方向の支軸４４廻りに回動可能に枢支された左右一対の可動体４５を備え、両可動体４５が第２位置Ｂに起立したときに両者が一体役物４６を構成するようになっている。
【００３６】
即ち、可動演出手段３０は、下部側が支軸４４により回動自在に枢支された縦長状の左右一対の可動体４５と、この可動体４５を支軸４４廻りに正逆転可能に駆動する駆動手段５８と、可動体４５及び駆動手段５８を支持する支持台４７と、可動体４５の下側で支持台４７の前側に配置された下部装飾体４８と、可動体４５の第１位置Ａへの復帰を検出する検出手段４９と、第２位置Ｂでの両可動体４５の前後位置を位置決めする位置決め手段５０とを備えている。
【００３７】
各可動体４５は両者で一体役物４６を構成すべく所定意匠の装飾が施された装飾部５１を有し、第２位置Ｂでの起立時に僅かな隙間５２を介して相対向する対向端側には、起立時に相手側に当接して対向端側を所定の隙間５２に保つための当接部５７が装飾部５１以外の部位に設けられている。
【００３８】
各可動体４５は発光部５３ａを有する透明な合成樹脂製の本体部５３と、この本体部５３の前側に配置された前カバー部５４と、本体部５３の裏側に配置された裏カバー部５５と、本体部５３と裏カバー部５５との間に介装された発光基板５６とを前後方向に着脱自在に備え、発光基板５６のＬＥＤ等の発光体５６ａにより、各発光部５３ａを発光させるようになっている。
【００３９】
本体部５３は前面から前側に突出する複数の発光部５３ａを有し、また外周側の周壁部５３ｂの内、第２位置Ｂで可動体４５が相対向するときの対向端側は、上下方向にジグザグ状に屈曲する非直線状の屈曲部５３ｃを有し、その屈曲部５３ｃの一部に当接部５７が形成されている。なお、可動体４５の対向端側は直線状でもよい。
【００４０】
各可動体４５の屈曲部５３ｃは左右に相対応するジグザグ状の凹凸形状であり、その中間の当接部５７は屈曲部５３ｃのジグザグ状の凹凸形状に合わせてく字状の凹凸形状になっている。各当接部５７は屈曲部５３ｃよりも相手側へと僅かに突出しており、両可動体４５が第２位置Ｂへと移動したときに当接部５７同士が当接して、屈曲部５３ｃ間に僅かな隙間５２がジグザグ状にできるようになっている。なお、当接部５７は周壁部５３ｂの前後幅の後側に形成されており、前側の屈曲部５３ｃは当接せずに所定の隙間５２で相対向するようになっている。
【００４１】
前カバー部５４は本体部５３を前側から覆う形状であって、前面部５４ａ及び周壁部５４ｂには本体部５３の発光部５３ａ、屈曲部５３ｃに対応して適宜形状の切り欠き部５４ｃが形成され、本体部５３の発光部５３ａ、屈曲部５３ｃがその切り欠き部５４ｃに位置するようになっている。この前カバー部５４の前面部５４ａ等の遊技者から視認可能な表面には、金属メッキ等の二次加工が施されている。
【００４２】
この本体部５３と前カバー部５４は前後に結合したときに、その発光部５３ａ及び屈曲部５３ｃが本体部５３の切り欠き部５４ｃに位置して、この発光部５３ａ、屈曲部５３ｃ及び前カバー部５４の組み合わせにより可動体４５の装飾部５１が構成されている。従って、当接部５７は可動体４５の装飾部５１以外の位置に設けられている。
【００４３】
なお、前カバー部５４の周壁部５４ｂには相対向側の上下に直線部５４ｄが形成され、屈曲部５３ｃの上下両側で直線部５４ｄが所定の隙間５２をおいて対向するようになっている。また、本体部５３は前カバー部５４の切り欠き部５４ｃに対応する突部を設け、その突部に発光部５３ａを開口状に形成してもよい。この場合には、本体部５３の突部、屈曲部５３ｃは、メッキその他の二次加工を施してもよい。従って、必要に応じて本体部５３側に二次加工の装飾部５１があってもよい。本体部５３及び前カバー部５４は一体でもよい。
【００４４】
裏カバー部５５は本体部５３との間で発光基板５６を覆うようになっており、この裏カバー部５５の下部には略同心状に軸挿通部５９ａを有するギヤー部５９が着脱自在に固定されている。発光基板５６は各発光部５３ａに対応するＬＥＤ等の発光体５６ａを有する。なお、前カバー部５４と裏カバー部５５とがネジ６２ａによって着脱自在に結合され、その間に本体部５３、発光基板５６が介在されている。
【００４５】
支持台４７は前側に略平行に突出する２本の支軸４４を有する後支持部６０と、この後支持部６０の前側に着脱自在に装着された前支持部６１とを有する。各ギヤー部５９は両支持部６０，６１に配置されており、その軸挿通部５９ａに各支軸４４が相対回転自在に挿通されている。なお、各支軸４４等の前端側には前支持部６１がネジ６２により着脱自在に固定されている。
【００４６】
各可動体４５のギヤー部５９は互いに回動自在に噛合すると共に、その一方のギヤー部５９に下側から駆動ギヤー６４が噛合されている。駆動ギヤー６４は駆動手段５８を構成する駆動モータ６５の回転軸６７上に設けられている。駆動モータ６５はステッピングモータ、減速機付きモータ等により構成され、支持台４７の後側に装着されている。回転軸６７は支持台４７の通孔を貫通しており、その支持台４７の前側に駆動ギヤー６４が設けられている。
【００４７】
検出手段４９はフォトセンサ等により構成された非接触式であり、駆動ギヤー６４が噛合するギヤー部５９と反対側のギヤー部５９に対応して支持台４７の後支持部６０等に設けられ、ギヤー部５９から突出する被検出部５９ｂの有無を感知するようになっている。支持台４７にはその後支持部６０等に可動体４５を第１位置Ａに規制するストッパー部６８が設けられ、各可動体４５が第１位置Ａ側に復帰するときに、第１位置Ａを越え過ぎないように停止位置を規制している。
【００４８】
位置決め手段５０は第２位置Ｂでの両可動体４５の前後方向の位置ズレを防止するためのもので、図１０に示すように、一方の可動体４５の裏カバー部５５の相対向側に設けられた位置決め突起７０と、他方の可動体４５の裏カバー部５５の相対向側に設けられた位置決め凹部７１とを相対向側に備え、両可動体４５が第２位置Ｂ側に移動したときに位置決め突起７０と位置決め凹部７１との間で両可動体４５の前後方向の相対位置を位置決めして、両可動体４５の位置ズレを防止するようになっている。
【００４９】
位置決め凹部７１は前後両側に規制部７０ａを有し、この規制部７０ａで位置決め突起７０を前後両側から規制して両可動体４５を位置決めするようになっている。位置決め突起７０は規制部７０ａを案内する傾斜案内部７０ｂを前後両側に有する。なお、位置決め突起７０は位置決め凹部７１への挿脱時に位置決め凹部７１の上側及び下側と干渉しないように上下両側に除去部７０ｃが傾斜状に設けられている。
【００５０】
下部装飾体４８は可動体４５の下部側で支持台４７の前側に固定されている。進入阻止部材３６は下部装飾体４８を前側から視認できるようになっている。なお、進入阻止部材３６は下部装飾体４８の左右両側の第１位置Ａに位置する可動体４５を視認できるようにしてもよいし、視認できないようにしてもよい。
【００５１】
このパチンコ機１では、遊技盤５の遊技領域１０に打ち込まれた遊技球が特別図柄始動手段２４に入賞すると、特別図柄表示手段２９の特別図柄が所定時間変動すると共に、その特別図柄の変動に同期して画像表示部３３の演出図柄４１ａ〜４１ｃが所定時間変動する。
【００５２】
特別図柄始動手段２４への遊技球の入賞を契機に、特別図柄が所定の特別態様で停止するか又は所定の特別態様で停止する可能性の高い、可動予告演出を含む演出パターンを抽選した場合には、画像表示部３３の演出図柄４１ａ〜４１ｃの変動中にリーチとなったときに、画像表示部３３に操作指示画像４２を表示する。
【００５３】
そして、その操作指示画像４２に従って図柄変動中に適宜タイミングでチャンスボタン２０を操作すれば、チャンスボタン２０の明滅発光演出、可動演出手段３０の可動演出、画像表示部３３の画像演出等による予告演出が実行され、変動後の特別図柄が特別遊技態様となって特別遊技状態が発生する信頼度が高いことを遊技者に対して予告する。例えば、画像表示部３３に表示される所定の演出画像に同期して、可動演出手段３０の可動体４５が第１位置Ａから第２位置Ｂへと回動する。
【００５４】
なお、特別図柄表示手段２９の変動後の停止図柄が特別態様となれば、特別図柄の停止後に可変入賞手段２５が所定ラウンド数開閉する等の特別遊技状態となるが、可動演出手段３０が可動体４５の回動、発光部５３ａの発光等により、このときの遊技状態を演出するようにしてもよい。
【００５５】
可動体４５による可動演出に際して、可動演出手段３０は次のように作動する。各可動体４５は通常、画像表示部３３の下側で進入阻止部材３６の背後の第１位置Ａに退避した状態にある。
【００５６】
可動演出手段３０の可動演出制御手段に可動演出指令が入れば、駆動手段５８の駆動モータ６５が正転方向に回転し、駆動ギヤー６４の駆動により、一方のギヤー部５９、他方のギヤー部５９を介して各可動体４５がその支軸４４廻りに第２位置Ｂへと起立方向に夫々回動する。即ち、駆動ギヤー６４が正転すると、この駆動ギヤー６４と噛合する一方のギヤー部５９が起立方向に正転し、また一方のギヤー部５９と噛合する他方のギヤー部５９が起立方向に逆転するため、各可動体４５が各支軸４４廻りに逆方向に回動して第２位置Ｂへと起立する。そして、両可動体４５は第２位置Ｂ側では相対向した状態で起立してひとつの一体役物４６を構成する。
【００５７】
一方、発光基板５６の各発光体５６ａが適宜タイミングで点滅発光又は連続発光して、その各発光体５６ａからの光により各可動体４５の発光部５３ａが発光する。
【００５８】
各可動体４５が第２位置Ｂまで回動して起立状態となれば、各可動体４５の対向端側の当接部５７同士が当接して、対向端側に所定の隙間５２ができた状態で各可動体４５を停止させることができる。
【００５９】
また各可動体４５の当接部５７が第２位置Ｂで当接する前に、一方の可動体４５の位置決め突起７０が他方の可動体４５の位置決め凹部７１内に入り、その位置決め突起７０と位置決め凹部７１とにより構成される位置決め手段５０によって両可動体４５の前後方向の位置ズレを防止することができる。
【００６０】
なお、各可動体４５の回動量は、ステッピングモータの場合にはその駆動パルス数、他のモータの場合には負荷電流の変化等によって制御すればよい。
【００６１】
各可動体４５が第２位置Ｂで起立して一体役物４６として機能した後は、駆動モータ６５が逆転して各可動体４５が支軸４４廻りに第１位置Ａへと回動する。そして、可動体４５が第１位置Ａに復帰すれば、検出手段４９がその復帰を検出して駆動モータ６５を停止させる。
【００６２】
このように各可動体４５の対向端側に当接部５７を設けて、第２位置Ｂで各可動体４５の当接部５７同士を当接させることによって、両可動体４５の対向端側を所定の隙間５２に維持することができ、両可動体４５を含む一体役物４６としての一体性を容易に確保できる。
【００６３】
しかも各可動体４５の当接部５７を屈曲部５３ｃから突出させる等により装飾部５１以外の部分に設けることにより、装飾部５１同士の接触による損傷を防止できるので、各可動体４５を含む可動演出手段３０の耐久性が向上し、また各可動体４５の損傷による見栄えの低下を防止することができる。
【００６４】
また各可動体４５相互間に位置決め突起７０と位置決め凹部７１とを含む位置決め手段５０を設けることにより、両可動体４５の前後方向の相対位置を一定に維持できるだけでなく、各可動体４５の当接部５７同士を確実に当接させることができる。そのため両可動体４５の前後方向の位置ズレ等により、当接部５７が他の装飾部５１に接触する等の問題も防止することができる。
【００６５】
更に各当接部５７の内、その一方の当接部５７を上下方向に長い正面視く字状等の突状とし、他方の当接部５７をそれに対応する凹状としているので、両者の接触面積を十分に確保でき、両当接部５７が当接したときの面圧を小さくして摩耗等を少なくできる。そのため当接部５７が摩耗する等の損傷により、当接部５７以外の装飾部５１が当接する等の問題も未然に防止することができる。
【００６６】
また両可動体４５の対向端側は当接部５７の前側及び上下両側がジグザグ状の屈曲部５３ｃとなっており、その屈曲部５３ｃの中間の後部側に当接部５７を設けているため、平坦面に当接部５７を設ける場合に比較して当接部５７を目立ち難くすることができる。
【００６７】
更に可動体４５等の遊技部品には透明な合成樹脂材料を使用し、所定の形状に成型した後に金属メッキ等の二次加工を施す場合が多いが、当接部５７を二次加工なしの透明な合成樹脂製とすることにより、金属メッキ等が施された装飾部５１に比較してより目立ち難くできる利点がある。
【００６８】
また各可動体４５に透明な合成樹脂部分がある場合でも、その部分を発光可能な発光部５３ａとすることにより、装飾性の向上、及び両可動体４５の一体性を演出することができる。
【００６９】
図１２及び図１３は本発明の第２の実施形態を例示する。この実施形態の可動演出手段３０は、下側の案内手段７４に沿って左右方向に直線移動可能な左右一対の可動体４５を備えており、その各可動体４５の対向端側の装飾部５１以外の部分に当接部５７が設けられている。
【００７０】
両可動体４５は左右一対で山状の一体役物４６を構成するものであり、画像表示手段２２の画像表示部３３の左右両側に退避する第１位置Ａと、画像表示部３３の前側の第２位置Ｂとの間で左右方向に直線移動可能である。
【００７１】
なお、各可動体４５は第１位置Ａでは前構造体３５の裏側に収容されるようになっている。また案内手段７４は前構造体３５の裏側に設けられている。各可動体４５は駆動手段５８の駆動により逆方向に移動可能である。その他の構成は第１の実施形態と同様である。
【００７２】
このように各可動体４５が左右方向に直線移動するような場合にも、その対向端側に当接部５７を設けることにより、第１の実施形態と同様の効果を得ることができる。
【００７３】
図１４は本発明の第３の実施形態を例示する。この実施形態の可動演出手段３０は、固定体７５と可動体４５とを備え、その固定体７５と可動体４５との対向端側の装飾部５１以外の部分に当接部５７が設けられている。
【００７４】
固定体７５は画像表示部３３の上側で前構造体３５に固定されている。可動体４５は画像表示部３３から退避する第１位置Ａと画像表示部３３の前側に突出して固定体７５に当接する第２位置Ｂとの間で支軸４４廻りに回動可能である。当接部５７は固定体７５と可動体４５との対向端側において、その装飾部５１以外の部分に設けられている。他の構成は各実施形態と同様である。
【００７５】
このように可動体４５が第２位置Ｂで固定体７５に当接して一体役物４６を構成するような場合にも、その両者の対向端側の装飾部５１以外の部分に当接部５７を設けることにより、第１の実施形態と同様の効果を得ることができる。従って、可動演出手段３０は可動体４５同士の組み合わせの他、固定体７５と可動体４５とを組み合わせたものでもよい。
【００７６】
図１５及び図１６は本発明の第４の実施形態を例示する。この実施形態の可動演出手段３０は、左右方向に移動可能な左右一対の可動体４５を備えている。各可動体４５はその対向端側の裏側に当接部５７を有し、第２位置Ｂでその当接部５７同士が当接することによって、両者の前側の対向端側が所定の隙間５２で前後、左右に対向するようになっている。
【００７７】
一方の可動体４５の対向端側の前側には、前側から相手側に突出する前突出部７７と、この前突出部７７の裏側で周壁部７８から相手側に突出する当接部５７とを有する。他方の可動体４５の対向端側の前側には、相手側の前突出部７７に対応する前段部７９と、この前段部７９の後側で相手側に突出する後突出部８０と、この後突出部８０の裏側に当接部５７に対応して設けられた当接部５７とを有する。
【００７８】
この可動体４５には、当接部５７を含む前面側及び外周側の全部又は一部に金属メッキが施されている。従って、両可動体４５は遊技者が視認可能な範囲に金属メッキによる装飾部５１が設けられ、その装飾部５１を除く裏側に当接部５７が設けられた構成になっている。なお、金属メッキ以外の二次加工により装飾部５１を構成してもよい。他の構成は各実施形態と同様である。
【００７９】
この実施形態では、当接部５７同士が当接したときには、可動体４５の前突出部７７が可動体４５の後突出部８０の前側に重なった状態となる。また各可動体４５の当接部５７は、突出部７７，８０の裏側にあって視認不能である。
【００８０】
この実施形態に例示するように、可動体４５の装飾部５１に金属メッキ等による二次加工を施す場合、可動体４５の装飾部５１以外の部分にも同様の二次加工を行い、その二次加工部分を当接部５７としてもよい。
【００８１】
以上、本発明の各実施形態について詳述したが、本発明はこの各実施形態に限定されるものではなく、本発明の趣旨を逸脱しない範囲で種々の変更が可能である。例えば、各実施形態では、遊技機として弾球遊技機の一つであるパチンコ機１について例示しているが、パチンコ機１以外のアレンジボール機等の弾球遊技機は勿論のこと、スロットマシンを含む各種の遊技機においても同様に実施可能であることは云うまでもない。
【００８２】
また可動演出手段３０は可動体４５を備えたものであればよく、可動体４５の数、構造等は可動演出手段３０の演出テーマに沿って適宜決定すればよい。また可動体４５同士の組み合わせ、可動体４５と固定体７５との組み合わせの何れの場合でも、その可動体４５の移動方向は適宜決定すればよい。例えば、可動体４５が直線移動する場合には、その移動方向は左右方向の他、上下方向、斜め方向に移動するようにしてもよい。回転運動等の場合も同様である。
【００８３】
複数の可動体４５を備えた可動演出手段３０の場合、その可動体４５の組み合わせにより一体役物４６を構成できるものであれば、各可動体４５は対称形状でもよいし、非対称形状でもよい。各可動体４５の対向端側は、第２位置Ｂでは所定の隙間５２で或る長さ部分が対向するようにしてもよいし、可動体４５の先端側等の長手方向の一部が対向するようにしてもよい。
【００８４】
当接部５７は二次加工部分以外の箇所に設けるのが一般的であるが、遊技者が視認し難いか、又は視認不能な箇所であれば、二次加工部分に設けてもよい。また各当接部５７はく字状等の非直線状にして、当接部５７同士で位置決め機能を奏するように構成してもよい。また実施形態では、可動体４５に位置決め手段５０と当接部５７とを別々に設けているが、位置決め手段５０に当接部的な機能を持たせてもよいし、当接部５７に位置決め手段的な機能を持たせてもよい。
【符号の説明】
【００８５】
３０  可動演出手段
３３  画像表示部
３５  前構造体
４５  可動体
４６  一体役物
５０  位置決め手段
５１  装飾部
５２  隙間
５７  当接部
５８  駆動手段
【図１】
2015223485.tif 000003
【図２】
2015223485.tif 000004
【図３】
2015223485.tif 000005
【図４】
2015223485.tif 000006
【図５】
2015223485.tif 000007
【図６】
2015223485.tif 000008
【図７】
2015223485.tif 000009
【図８】
2015223485.tif 000010
【図９】
2015223485.tif 000011
【図１０】
2015223485.tif 000012
【図１１】
2015223485.tif 000013
【図１２】
2015223485.tif 000014
【図１３】
2015223485.tif 000015
【図１４】
2015223485.tif 000016
【図１５】
2015223485.tif 000017
【図１６】
2015223485.tif 000018